(57)【要約】 【課題】本発明はシーラント層に耐衝撃性，耐ピンホール性，ガスバリア性に著しく優れたラミネートフィルムを用い、強度と耐久性を得ると共に表基材層の設計の自由度が高く、且つ、身体用に触れると心地良さと柔らかな質感が得られる身体用保温・保冷具を提供することを目的とする。【解決手段】積層された外装袋Ａのシーラント層１を、低密度ポリエチレンに耐衝撃性，耐ピンホール性，ガスバリア性に著しく優れたラミネートフィルムで成す。また前記シーラント層１が生分解性とすると良く、前記表基材層３を、不織布にポリエチレンが貼り合わされて形成したものとしても良い。更に前記表基材層３として、不織布，紙，布，柔軟材を有した素材を用いると良い。【選択図】図１
2010240193.tif 000002
【特許請求の範囲】
【請求項１】
外装袋（Ａ）の内部に保温・保冷用のゲル（Ｂ）を密閉包装した身体用保温・保冷具に於いて、前記外装袋（Ａ）が、積層したプラスチックフィルムで形成されると共に、その積層が、シーラント層（１）と、該シーラント層（１）の表面に接着層（２）を介して貼着する表基材層（３）とから少なくとも成され、且つ、前記シーラント層（１）が、低密度ポリエチレンに耐衝撃性，耐ピンホール性，ガスバリア性に著しく優れたラミネートフィルムで形成されたことを特徴とする身体用保温・保冷具。
【請求項２】
前記シーラント層（１）のラミネートフィルムが生分解性である請求項１記載の身体用保温・保冷具。
【請求項３】
前記表基材層（３）が、不織布にポリエチレンを貼り合わせて形成された請求項１記載の身体用保温・保冷具。
【請求項４】
前記表基材層（３）が、不織布，紙，布，柔軟材を有した素材である請求項１記載の身体用保温・保冷具。
【発明の詳細な説明】
【技術分野】
【０００１】
本発明は身体の一部を温めたり、冷やしたりするための身体用保温・保冷具に関する。
【背景技術】
【０００２】
従来のプラスチックフィルム包装（以降、軟包装という）された保冷材は、食品輸送時の鮮度保持用として主に使用されているが、食品以外の分野、例えば、医療用，介護用，アイシング用，寒暖対策用，ペット用など、幅広い分野で軟包装された保温・保冷材が使用されつつある。しかしながら、従来の軟包装された保冷材をそのままの状態で食品以外の分野の保温・保冷材として流用すると、従来の保冷材の軟包装体（外装袋）は繰返して使用することが前提とされていないため、耐久性や強度が不足するものであった。このため前記外装袋に耐久性や強度を確保する手段として、プラスチックフィルムを積層或いは二重包装にして対応していた。特に積層構造のうち、表基材層によって強度や耐久性が確保できるように前記表基材層の材料を変更することによって量産が可能となっていた。この積層する一般的な構成としては、ナイロンやＰＥＴまたはアルミ蒸着の施されたＰＥＴなどの表基材層，ポリエチレンの接着層，ポリエチレンのシーラント層の積層により構成するものが多い。この時、外装袋の積層フィルム構造のうち、前記シーラント層のポリエチレンには耐衝撃性，耐ピンホール性，ガスバリア性などが劣るため、前記表基材層にはＯナイロンが一般に用いられている。更に前記外装袋に充填されるゲルの性質に応じて、表基材層の選定がなされると共に、積層を更に重ねる場合もあった。その上、プラスチックフィルムの厚み、或いは、それぞれの積層の際の接着方法などを選定しながら軟包装を構成すると共に、ヒートシール性を要する製袋方法で且つ量産の場合には、表基材層にも低融度の低密度ポリエチレンを使用しなければならず、この時にはアルミ箔などを積層させていた。
【０００３】
しかしながら、前記表基材層にＯナイロンを使用するものは、製品全体に柔らかな質感が得られず、且つ、ヒートシールされた部位は殊更に硬質な仕上がりとならざるを得ないが、身体用保温・保冷具として繰返し使用されるものに求められる要望には、耐衝撃性，耐ピンホール性，ガスバリア性に関するレベルの高い調和に加え、使用時に柔らかさと、保冷・保温材が他のものと擦れ合う時の静かさが同時に求められていた。又、従来の積層フィルムのまま、耐衝撃性，耐ピンホール性，ガスバリア性を高めるべく、個々のフィルムの厚さを増すことのみで対応を進めると、大幅なコスト増に起因するばかりでなく、身体用としては耳障りな雑音が発生すると共に身体に触れる際の柔らかな質感と心地良さを併せ持つことが出来ないのが現状であった。このため、図５に示すような布製、或いは不織布製袋やオレフィンフィルム等で外装袋を包まなければならなかった。
【０００４】
尚、近年に於ける身体用保温具としては、表基材層にナイロンを使用した外装袋の内部に保温用のゲルを密閉包装し、肩こり,腰痛,関節炎など温めると気持ち良く、且つ、湯たんぽ,あんか,足温器などの代りにも使用されている。一方、身体用保冷具としては、表基材層にナイロンを使用した外装袋の内部に保冷用のゲルを密閉包装し、冷凍庫で冷結させても固くならないソフトタイプが主で、それは柔らかいので身体にフィットし、心地良い使用感が得られ、筋肉痛,疲れ目など冷やすと気持ち良く、且つ、うちみ,ねんざ,歯痛などの時に冷やすと便利であり、急な発熱に、氷のうや氷枕の代替品として使用すると良く、暑くて寝苦しい時に氷枕として使用されるものであった。これらのものは本発明者によって製造され且つ多く販売されている。又、特願２００８−２４７６１３号に於いて、使い勝手の良好な「身体用保温・保冷具」を本発明者が提供したところである。
【先行技術文献】
【特許文献】
【０００５】
【特許文献１】特願２００８−２４７６１３号
【特許文献２】特開２００７−２７６３１６号公報
【発明の概要】
【発明が解決しようとする課題】
【０００６】
本発明はシーラント層に耐衝撃性，耐ピンホール性，ガスバリア性に著しく優れたラミネートフィルムを用い、強度と耐久性を得ると共に表基材層の設計の自由度が高く、且つ、身体に触れると心地良さと柔らかな質感が得られる身体用保温・保冷具を提供することを目的とする。
【課題を解決するための手段】
【０００７】
本発明は上記現状に鑑み成されたものであり、つまり、積層された外装袋のシーラント層を、低密度ポリエチレンに耐衝撃性，耐ピンホール性，ガスバリア性に著しく優れたラミネートフィルムで成す。また前記シーラント層が生分解性とすると良く、前記表基材層を、不織布にポリエチレンが貼り合わされて形成したものとしても良い。更に前記表基材層として、不織布，紙，布，柔軟材を有した素材を用いると良い。尚、本発明で言う「著しく優れたラミネートフィルム」とは、一般的な低密度ポリエチレンと同じ厚さであっても、２倍以上の強度と耐久を有するラミネートフィルムを指すものとする。
【発明の効果】
【０００８】
請求項１のように外装袋（Ａ）として、積層したプラスチックフィルムで形成させると共に、その積層を、シーラント層（１）と、該シーラント層（１）の表面に接着層（２）が介されて貼着する表基材層（３）とから少なくとも成すと共に、シーラント層（１）として、低密度ポリエチレンに耐衝撃性，耐ピンホール性，ガスバリア性に著しく優れたラミネートフィルムで形成することにより、一般的な低密度ポリエチレンと同じ厚さの構造であっても、２倍以上の強度と耐久を可能にするものとなるため、表基材層（３）の設計の自由度が高く、且つ、身体に触れると心地良さと柔らかな質感が得られる。又、積層するフィルムに過度の厚みを持たせなくとも、耐衝撃性，耐ピンホール性，ガスバリア性に関するレベルの高い調和が可能となるため、トータルではコストダウンが可能となる。しかも従来問題となっていた耳障りな雑音も発生しないものとなる。
【０００９】
請求項２のようにシーラント層（１）のラミネートフィルムを生分解性とすることにより、プラスチックフィルムの廃棄処分を容易にするものとなる。
【００１０】
請求項３に示すように表基材層（３）が、不織布にポリエチレンを貼り合わせて形成されることにより、ヒートシール性が向上し、製袋の量産が可能なものとなる。
【００１１】
請求項４に示すように表基材層（３）に不織布を用いると、身体に触れた際に心地良さと柔らかな質感が得られると共に本発明品が冷やされた時の結露防止の役目も果せるものとなる。また表基材層（３）に紙を用いると、吸水性が良好で且つ心地良さと柔らかな質感が得られ、且つ材料費が安価となる。更に表基材層（３）に布を用いると、紙同様に吸水性が良好で且つ心地良さと柔らかな質感が得られるものとなる。
【図面の簡単な説明】
【００１２】
【図１】本発明品の実施形態の要部断面を示す説明図である。
【図２】本実施形態を示す斜視図である。
【図３】図２の縦断面を示す説明図である。
【図４】本実施形態の使用例を示す説明図である。
【図５】従来品の実施形態を示す斜視図である。
【発明を実施するための形態】
【００１３】
本発明は心地良い柔らかな質感を得るという目的を、シーラント層（１）に耐衝撃性，耐ピンホール性，ガスバリア性を付与することで、表基材層（３）の設計の自由度が高くなり、心地良さと柔らかな質感が得られる材料を表基材層（３）に使用可能となった。
【実施例１】
【００１４】
図１は、本発明の１実施例の断面図であり、（１）は内部に保温・保冷用のゲル（Ｂ）を密閉包装した外装袋（Ａ）のシーラント層であり、該シーラント層（１）は、低密度ポリエチレンに耐衝撃性，耐ピンホール性，ガスバリア性に著しく優れたラミネートフィルムで形成されている。このラミネートフィルムとしては、特開２００７−２７６３１６号で提案された「脂肪族ポリエステル系の複合フィルム」の東セロ株式会社の製品をシーラント層（１）として使用するのが好ましい。尚、この脂肪族ポリエステル系の複合フィルムは、脂肪族ポリエステル組成物から成るフィルムの片面に生分解性樹脂組成物層を積層して成る複合ラミネートフィルムであり、これは透明性，耐衝撃性，耐突刺し性に加え、低温ヒートシール性に優れたラミネートフィルムである。
【００１５】
（２）はポリエチレンの接着層であり、（３）は外装袋（Ａ）の表基材層であり、該表基材層（３）は接着層（２）を介してシーラント層（１）の表面に貼着されている。前記表基材層（３）は、不織布にポリエチレンが貼り合わされて形成したものを用いるのが好ましいが、不織布，紙，布，柔軟材を有したゴムや塩化ビニールなどの素材を用いても良い。（４）は外装袋（Ａ）を密封する際に施されたヒートシール部である。前記ゲル（Ｂ）としては、目的に応じて、アルコール類＋水の混合物，油性化合物，ポリエチレングリコール，塩化化合物＋溶剤などを使用すると良い。一般には、アクリル酸系の化合物，天然増粘剤，カルボキシメチルセルロースナトリウム塩（ＣＭＣ）等によるセルロース系の水溶性高分子物質を主成分とした吸水性樹脂を用いれば良く、蓄熱量の大きなものを用いるのが好ましい。
【００１６】
次に本発明品の使用方法について説明する。予め図２に示すような縦１１センチ前後、横２６センチ前後、厚さ約１センチ前後の長方形の外装袋（Ａ）の内部に、保温・保冷用のゲル（Ｂ）を密閉包装させておく。又、前記ゲル（Ｂ）としては凍結させても固くならないソフトタイプのものを用いるのが好ましい。先ず始めに本発明品を保温用として使用する場合には、電子レンジやお湯などで通常に温めれば良い。そして、温められた本発明品を、首，肩,腰，膝，足，腕，肘,各関節部分などに当てると、心地良い温かさが１〜２時間続くものとなる。本発明品の他の用途としては、足に当てれば、湯たんぽ,あんか,足温器などの代りの役目を果すものとなる。
【００１７】
一方、本発明品を保冷用として使用する場合には、先ず本発明品を冷凍庫に入れて約５時間前後冷やす。その後、ゲル（Ｂ）が冷やされて内部温度０℃（表面温度−５℃）以下とする。冷やされた本発明品は、図５に示すような従来品で使用されている結露防止用の布製袋を用いる必要がなくなり、不織布，紙，布などの表基材層（３）が代用するものとなる。そして本発明品を、筋肉痛の箇所,疲れた目などに当てて冷やすと、柔らかいので身体の部位にフィットして心地良い使用感が得られるものとなる。また他の用途としては、うちみ,ねんざ,歯痛などの冷却用として使用すると良い。更に急な発熱に対して、本発明品を氷のうや氷枕の代替品として使用しても、従来品の如き耳障りな雑音が発生したりすることがなくなるので、安眠し易いものとなる。又、暑くて寝苦しい時には、本発明品を図４に示すように複数個並べたものをいくつか用意し、それらを冷やし、ベッドパットカバーの所定位置に収納させてベッドパットとして敷いて使用すれば、暑くて寝苦しい時期でも安眠できる重宝なものとなるのである。
【００１８】
このように耐衝撃性，耐ピンホール性，ガスバリア性が付与されたシーラント層（１）とすることにより、従来の如き表基材層（３）によって目的とする強度や耐久性を確保する必要がなくなったので、身体に触れる部分、つまり、表基材層（３）の材料として、心地良く柔らかな質感が得られるものを選択して使用することが可能となった。この結果、身体に触れる際に心地良さと柔らかな質感が得られる身体用保温・保冷具とすることが可能となるのである。
【符号の説明】
【００１９】
Ａ  外装袋
Ｂ  ゲル
１  シーラント層
２  接着層
３  表基材層
【図１】
2010240193.tif 000003
【図２】
2010240193.tif 000004
【図３】
2010240193.tif 000005
【図４】
2010240193.tif 000006
【図５】
2010240193.tif 000007